(57)【要約】      （修正有）【課題】職場や学校などの机の上で睡眠を取る時に、手枕で顔面と手や腕が直接接触して頭部の重さを受けることなく、また顎や頬や額等と枕との接触状態を調節して、快適な睡眠が得られる携帯用の小型枕を提供する。【解決手段】変形自在のクッション材と該クッション材を包むカバーによりほぼ楕円の円筒形状に形成し、その円筒の孔２を手や腕などを挿入できる程度の大きさとした。【選択図】図１
2007181507.tif 000002
【特許請求の範囲】
【請求項１】
変形自在のクッション材と該クッション材を包むカバーによりほぼ楕円の円筒形状に形成され、円筒の孔に手や腕が挿通できる程度の大きさとしたことを特徴とする小型枕。
【請求項２】
厚みが均一な薄い板状クッション体と、該板状クッション体を包むクッション体カバーと、該クッション体カバーの両端の結合部により円筒形状を形成することを特徴とする小型枕。
【発明の詳細な説明】
【技術分野】
【発明の詳細な説明】
【技術分野】
【０００１】  本発明は、携帯用の小型枕に関し、特に机の上に頭部をのせて快適な睡眠を得られる枕に関する。
【背景技術】
【０００２】  職場や学校や旅行時に睡魔に襲われた場合、机の上等でうつ伏せ状態にして睡眠を取ることが多いが、硬くて平らな机の上に顔面を乗せた状態で睡眠をとると、頭部の重さをその接触面で直接受けることになり苦痛を生じるため、手枕や卓上用の枕等を机に敷いて対策を施している。【０００３】  このうち、卓上用の枕としては、登録実用新案第３０７４６８５号公報に開示されたものが知られている。この枕は、机の上に敷いてからその上に手枕をして顔面をのせたり、枕の上に直接顔面をのせて使用し、さらに枕の厚み調節は枕を折り畳んで行なうようにしている。【０００４】  しかしながら、枕の上に手枕をして顔面をのせた場合は、頭部の重さを手や腕と顎や頬や額等との間で支えることになり、その接触面に圧迫痕を生じたり痺れたり汗をかいたりする等の問題点があった。また枕の上に直接顔面を接して頭部をのせる場合は枕の表面の形状は固定され、手枕のように自在に形状を変化させて顎や頬や額等との接触面を思い通りにすることはできなかった。またこの様な従来の枕では機能を果たすためにある程度の厚みが必要で外出時の持運びに不便であった。【０００５】  またこの様な曲面形状の枕は、クッション材に枕形状をしたものを使用する場合はクッション材の成型金型を必要とし、設計開発費用や加工費を大幅に増加させることになった。さらにクッション材に綿や羽毛などの詰め物を使用した場合は、製造工程が複雑で生産コストがかかり、また汚れた場合にクッション材とカバー材の分離が難しく、洗濯などの手入れが面倒なために使用者に負担をかけることになった。
【特許文献１】  登録実用新案第３０７４６８５号公報
【発明が解決しようとする課題】
【０００６】  そこで本発明の第１の課題は、顔面と手や腕が直接接触して頭部の重さを受けることなく、枕の形状を手枕のよう自在に変化させて、顎や頬や額等と枕との接触面を自分の思い通りに調節し、快適な睡眠が得られる携帯用の小型枕を提供することにある。
【０００７】  また、本発明の第２の課題は、製造時にクッション材の成型金型を必要とせずに設計開発費用や加工費を大幅に削減し、さらに生産工程を簡単にし、また洗濯などの手入れが容易な小型枕を提供することにある。
【課題を解決するための手段】
【０００８】  このような第１の課題を解決するため本発明は、変形自在のクッション材と該クッション材を包むカバーによりほぼ楕円の円筒形状に形成され、円筒の孔に手や腕が挿通できる程度の大きさとしたものである。
【０００９】  また、第２の課題を解決するため本発明は、厚みが均一な薄い板状クッション体と、該板状クッション体を包むクッション体カバーと、該クッション体カバー両端の結合部の結合により円筒形状を形成したものである。
【発明の効果】
【００１０】  請求項１に記載の小型枕によれば、変形自在のクッション材と該クッション材を包むカバーによりほぼ楕円の円筒形状に形成され、円筒の孔に手や腕を挿通して枕の一部を形成するために、小型枕ながら通常の枕と遜色の無い適度な厚みが得られ、さらに自身の手と腕の挿入位置の工夫で様々な枕の形状を得ることができる。
【００１１】  これにより、顔面を手や腕の上に直接乗せることなく顔面と枕との接触面の安定形状が得られ、頭部の安定した状態を保って快適な睡眠が得られる。
また、枕の小型化が実現して職場や学校や旅行などへの持ち運びを容易に行なうことができる。
【００１２】  請求項２に記載の小型枕によれば、厚みが均一な薄い板状クッション体と、該板状クッション体を包むクッション体カバーと、該クッション体カバーの両端の結合部により円筒形状を形成しているため、一般的に流通しているクッション素材を規定の寸法に裁断して厚みが均一な薄い板状クッション体として使用できる。また該クッション体カバーの両端の結合部の結合により円筒形状が簡単に形成されるだけでなく、結合部の分離により該クッション体カバーの挿入口から該板状クッション体の取出しが簡単にできる。なお、該小型枕の天面は平面形状であるが、円筒の孔に手を挿入すれば請求項１と同様に好みの曲面形状を含む様々な枕の形状を得ることができる。
【００１３】  これにより、クッション材の成型金型を必要とせずに枕を簡単に生産できるため、設計開発費用と加工費の削減が可能となり、さらに製造工程が簡略化されて安価な枕を製造することができる。また、机の汚れや手や顔の汗などの付着で該クッション体カバーが汚れても洗濯などの手入れが容易にできるため、使用者は大きなメリットを得ることになる。
【発明を実施するための最良の形態】
【００１４】  変形自在の柔らかく薄い低反発クッション素材と柔らかく吸湿性のあるクッションカバーによりほぼ楕円の円筒形状に形成された形態が最良の実施形態である。
【実施例１】
【００１５】  以下、本発明の実施例１について図面を用いて説明する。図１は本実施例１の小型枕を示す外観図で、図２は断面図である。
１はタテ２０ｃｍ×ヨコ２０ｃｍ×高さ５ｃｍほどの枕体で、変形自在のクッション材と該クッション材を包むカバーによりほぼ楕円の円筒形状に形成する。また枕体１は円筒の孔２に手や腕を挿入して枕を適度な厚みと形状に調節が可能で、小型ながら枕としての機能を満たすことができる。
枕体１は図２に示すように、クッション体１ａと、このクッション体１ａを覆うクッション体カバー１ｂによって形成され、クッション体１ａは顔面形状にフィットする柔らかい低反発クッション素材が最適で、またクッション体カバー１ｂは手や顔面に優しい柔らかく吸湿性のある綿ポリエステル素材が最適であるが、特に低反発クッション素材や綿ポリエステル素材に限定されるものではない。【００１６】  本実施例１に係る小型枕は、上記の如く構成されるものであり、図３に示すように円筒の孔２に左右からそれぞれ左手と右手を挿入し顎や頬を枕体１の上にのせれば、肉厚が薄く柔らかい枕体１を通して手の凹凸が顎や頬に伝わり、右手と左手の調節により枕体１と顎や頬との接触形状を自在に調節し、頭部を容易に安定できるために快適な睡眠に絶大な効果を発揮するものである。【００１７】  さらに、図４に示すように、円筒の孔２に片腕を肘まで挿入し額や頬を枕体１の上にのせれば、肉厚が薄く柔らかい枕体１の形状は肘の屈曲に沿って変形し、肘の屈曲調節により枕体１と額や頬との接触形状を自在に調節し、うつ伏せ状態の睡眠時に枕が口や鼻に接しない為に呼吸の邪魔をせず、頭部が容易に安定して快適な睡眠に絶大な効果を発揮するものである。当然腕の挿入部位は肘以外でもよく、また腕の代わりにペットボトルや雑誌などを丸めて挿入し通常の枕のように使用することも可能である。
【実施例２】
【００１８】  次に、本発明の実施例２について図面を用いて説明する。図５は本実施例２の小型枕の説明図及び外観図である。
本実施例２の小型枕は、一般的に流通しているクッション素材を規定寸法に裁断した板状クッション体３ａを板状クッション体カバー３ｂの挿入口から挿入し、該クッション体カバー３ｂの両端をオープンファスナー４で結合して枕体（Ａ）３と円筒の孔（Ａ）５が形成され、本実施例１と同じ性能を持った小型枕がオープンファスナー４を閉じるだけで簡単に組み立てられる。またオープンファスナー４を開くことにより、板状クッション体カバー３ｂの挿入口も開いて板状クッション体３ａが露出し、板状クッション体カバー３ｂから板状クッション体３ａの取出しを容易におこなうことができる。なお、結合部はオープンファスナー４に限定されるものではなく、マジックファスナーを使用するなど様々な形態が考えられる。【００１９】  このように、本実施例２に係る小型枕は、専用の金型や特別な製作工具を必要とせずに、ハサミとミシンで簡単に製作できるために少ない設計開発費で商品化が可能になり、さらにオープンファスナーの開閉操作のみで円筒形状を形成し小型枕が簡単に生産できるだけでなく、板状クッション体カバーから板状クッション体の取出しが容易にできるため、机の汚れや手や顔の汗などで該板状クッション体カバーが汚れても洗濯などの手入れが容易な、実施例１の性能を完全に満たすことができる画期的な枕である。
【産業上の利用可能性】
【００２０】  職場や学校や旅行の車中など外出中の昼寝や睡魔に襲われた時に、持ち運びが容易な小型枕として、また快適な安眠枕として利用できる。
【図面の簡単な説明】
【００２１】
【図１】  本発明の実施例１の小型枕を示す外観図である。
【図２】  同小型枕を示す断面図である。
【図３】  同小型枕の使用状態を示す説明図である。
【図４】  同小型枕の使用状態を示す説明図である。
【図５】  本発明の実施例２の小型枕を示す説明図及び外観図である。
【符号の説明】
【００２２】  １    枕体
１ａ  クッション体
１ｂ  クッション体カバー
２    円筒の孔
３    枕体（Ａ）
３ａ  板状クッション体
３ｂ  板状クッション体カバー
４    オープンファスナー
５    円筒の孔（Ａ）
【図１】
2007181507.tif 000003
【図２】
2007181507.tif 000004
【図３】
2007181507.tif 000005
【図４】
2007181507.tif 000006
【図５】
2007181507.tif 000007